(57)【要約】【課題】  分電盤からの立ち下げ配線を集約して隠蔽保護し得るようにする。【解決手段】  分電盤１と二重床２との間に、両者間に亘るボックス構造部８を設け、ボックス構造部８の上面に分電盤１に対する配線用の開口９を設けると共に、ボックス構造部８の底面に、二重床２を通して壁に設置された電気器具または配線器具まで取り回される配線を通すための複数の配管１０を接続するようにしている。【選択図】        図１
2006217781.tif 000002
【特許請求の範囲】
【請求項１】
分電盤から、二重床を通して壁に設置された電気器具または配線器具まで配線を接続する配線構造であって、
分電盤と二重床との間に、両者間に亘るボックス構造部を設け、
該ボックス構造部の上面に分電盤に対する配線用の開口を設けると共に、
ボックス構造部の底面に、二重床を通して壁に設置された電気器具または配線器具まで取り回される配線を通すための複数の配管を接続したことを特徴とする電気配線構造。
【請求項２】
前記ボックス構造部の前面パネルを着脱可能としたことを特徴とする請求項１記載の電気配線構造。
【請求項３】
前記ボックス構造部と配管とを、予め組み立ててユニット化し、ユニット化された配線用ユニットの内部に、予め配線を組込んだことを特徴とする請求項１または２記載の電気配線構造。
【発明の詳細な説明】
【技術分野】
【０００１】
この発明は、電気配線構造に関するものである。
【背景技術】
【０００２】
住宅の配線システムとして、従来、二重天井内に敷設される天井内配線ユニットと、間仕切壁内に敷設される壁内配線ユニットとを二重天井と間仕切壁との接合部付近でコネクタ接続するようにしたものがある（例えば、特許文献１参照）。
【特許文献１】特開平１１−３２４１７号公報
【発明の開示】
【発明が解決しようとする課題】
【０００３】
しかしながら、上記特許文献１に記載された配線システムは、分電盤から離れた配線に対するものであり、分電盤からの立ち下げ配線を集約して隠蔽保護する機能を有してはいなかった。
【課題を解決するための手段】
【０００４】
上記課題を解決するために、請求項１に記載された発明では、分電盤から、二重床を通して壁に設置された電気器具または配線器具まで配線を接続する配線構造であって、分電盤と二重床との間に、両者間に亘るボックス構造部を設け、該ボックス構造部の上面に分電盤に対する配線用の開口を設けると共に、ボックス構造部の底面に、二重床を通して壁に設置された電気器具または配線器具まで取り回される配線を通すための複数の配管を接続した電気配線構造を特徴としている。
【０００５】
請求項２に記載された発明では、前記ボックス構造部の前面パネルを着脱可能とした請求項１記載の電気配線構造を特徴としている。
【０００６】
請求項３に記載された発明では、前記ボックス構造部と配管とを、予め組み立ててユニット化し、ユニット化された配線用ユニットの内部に、予め配線を組込んだ請求項１または２記載の電気配線構造を特徴としている。
【発明の効果】
【０００７】
請求項１の発明によれば、分電盤と二重床との間に、両者間に亘るボックス構造部を設け、該ボックス構造部の上面に分電盤に対する配線用の開口を設けると共に、ボックス構造部の底面に、二重床を通して壁に設置された電気器具または配線器具まで取り回される配線を通すための複数の配管を接続したことにより、分電盤から二重床までの立ち下げ配線を集約しつつ隠蔽保護し、建築現場での施工を簡易にして、施工の手間を削減することができ、低コスト化を図ることができる。なお、ボックス構造部と配管とを利用することにより、電話やテレビ、インターホンなどの通信配線を二重床内に配線することも可能となる。
【０００８】
請求項２の発明によれば、前記ボックス構造部の前面パネルを着脱可能としたことにより、ボックス構造部の前面パネルを外せば、前面側から通線や配線のジョイント、配線の入替えの施工などを容易に行うことが可能となる。
【０００９】
請求項３の発明によれば、前記ボックス構造部と配管とを、予め組み立ててユニット化し、ユニット化された配線用ユニットの内部に、予め配線を組込んだことにより、より一層、建築現場での施工を簡易にして、施工の手間を削減することができ、低コスト化を図
ることができる。
【発明を実施するための最良の形態】
【００１０】
分電盤からの立ち下げ配線を集約して隠蔽保護するという目的を、分電盤と二重床との間に、両者間に亘るボックス構造部を設け、ボックス構造部の上面に分電盤に対する配線用の開口を設けると共に、ボックス構造部の底面に、二重床を通して壁に設置された電気器具または配線器具まで取り回される配線を通すための複数の配管を接続する、という手段で実現した。
【実施例】
【００１１】
以下、本発明を具体化した実施例について、図示例と共に説明する。
【００１２】
図１〜図４は、この発明の実施例を示すものである。
【００１３】
まず、構成を説明すると、図１に示すように、分電盤１から、床を通して壁に設置された電気器具または配線器具まで配線を接続する配線構造を設ける。ここで、分電盤１は、一般に、玄関ホール７の側壁７ａの上部に設けられることが多い。また、床には、二重床２を採用する。
【００１４】
この実施例のものでは、分電盤１と二重床２との間に、両者間に亘るボックス構造部８を設ける。この実施例の場合、ボックス構造部８は、玄関ホール７の側壁７ａに沿って、分電盤１の直下部から二重床２までの高さを有するように設ける。また、邪魔にならないよう、ボックス構造部８は、可能な限り薄型に構成する。
【００１５】
そして、ボックス構造部８の上面に分電盤１に対する配線用の開口９を設ける。この開口９は、分電盤１の配線取出部に直面するように設けるのが好ましい。
【００１６】
また、ボックス構造部８の底面に、二重床２を通して壁に設置された電気器具または配線器具まで取り回される配線を通すための複数の配管１０を接続する。この配管１０は、天井電灯用配線１１を除く全ての電力用配線を通し得るように本数や配置などを設定する。この配管１０は、二重床２および壁の中に敷設される。なお、天井電灯用配線１１は、分電盤１から天井へ取り回される。
【００１７】
更に、図３に示すように、ボックス構造部８の前面パネル１５を着脱可能とする。ここで、ボックス構造部８は、前面が開口されたボックス本体１６と、開口を塞ぐ前面パネル１５とで構成し、ボックス本体１６に対する前面パネル１５の着脱を、ビス１７などの取付具で行い得るようにする。
【００１８】
そして、図２に示すように、ボックス構造部８と配管１０とを、予め組み立ててユニット化し、ユニット化された配線用ユニット２１の内部に、予め配線を組込んでおくようにする。この配線用ユニット２１の作成と、配線の組込みは、工場で行うようにする。
【００１９】
図４は、この配線用ユニット２１の設置例であり、玄関ホール７と、２つの洋室２５，２６と、ＬＤＫ２７と、サニタリールーム２８と、浴室２９とを備えた住宅３０に対し、玄関ホール７にボックス構造部８が設置され、このボックス構造部８から二重床２を通して壁に設置された電気器具または配線器具まで配管１０が敷設されている様子が示されている。
【００２０】
次に、この実施例の作用について説明する。
【００２１】
予め、工場で、ボックス構造部８と配管１０とを組み立てて配線用ユニット２１を構成し、この配線用ユニット２１のボックス構造部８と配管１０との内部に、予め配線を組込んでおく。
【００２２】
そして、建築現場で、配線用ユニット２１のボックス構造部８を分電盤１と二重床２との間に設置し、ボックス構造部８の上面に形成した開口９を利用して分電盤１に対する配線の接続を行う。この作業は、ボックス本体１６から前面パネル１５を取外した状態で行うようにする。この際、天井電灯用配線１１を除く全ての電力用配線が配線用ユニット２１に通されるようにする。
【００２３】
また、配線を配管１０ごと二重床２を通して壁に設置された電気器具または配線器具まで取り回して接続を行う。以上により、建築現場での施工が完了する。
【００２４】
このように、この実施例によれば、分電盤１と二重床２との間に、両者間に亘るボックス構造部８を設け、ボックス構造部８の上面に分電盤１に対する配線用の開口９を設けると共に、ボックス構造部８の底面に、二重床２を通して壁に設置された電気器具または配線器具まで取り回される配線を通すための複数の配管１０を接続したことにより、分電盤１から二重床２までの立ち下げ配線を集約しつつ隠蔽保護し、建築現場での施工を簡易にして、施工の手間を削減することができ、低コスト化を図ることができる。なお、ボックス構造部８と配管１０とを利用することにより、電話やテレビ、インターホンなどの通信配線を二重床２内に配線することも可能となる。
【００２５】
また、ボックス構造部８の前面パネル１５を着脱可能としたことにより、ボックス構造部８の前面パネル１５を外せば、前面側から通線や配線のジョイント、配線の入替えの施工などを容易に行うことが可能となる。
【００２６】
そして、ボックス構造部８と配管１０とを、予め組み立ててユニット化し、ユニット化された配線用ユニット２１の内部に、予め配線を組込んだことにより、より一層、建築現場での施工を簡易にして、施工の手間を削減することができ、低コスト化を図ることができる。
【００２７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２８】
【図１】本発明の実施例の斜視図である。
【図２】図１の配線用ユニットの斜視図である。
【図３】図２の配線用ユニットの分解斜視図である。
【図４】配線用ユニットの設置例を示す住宅の平面図である。
【符号の説明】
【００２９】
１    分電盤
２    二重床
８    ボックス構造部
９    開口
１０  配管
１５  前面パネル
２１  配線用ユニット
【図１】
2006217781.tif 000003
【図２】
2006217781.tif 000004
【図３】
2006217781.tif 000005
【図４】
2006217781.tif 000006